(57)【要約】【課題】複数金種の貨幣を受け付けて、遊技媒体を貸与するための貸与処理を行う遊技用装置において、複数金種の貨幣額に対応する貨幣額送信線の不正配線や誤配線等の配線異常を検出可能とする。【解決手段】複数金種の貨幣を識別する紙幣識別機２４及び硬貨識別機２５と、該複数金種の貨幣額に対応する貨幣額送信線２７ｃ〜２７ｈを通じて紙幣識別機２４及び硬貨識別機２５にて識別された貨幣額を示す信号を送信する貨幣額通信部２６を備える遊技用装置において、貨幣額送信線の配線異常の有無を検出する配線異常検出手段（制御部２２）をさらに備え、該配線異常検出手段は、貨幣額通信部２６に対して判定実施信号を送信し、該判定実施信号に応じて貨幣額通信部から送信されてくる応答信号の受信に基づいて貨幣額送信線の配線異常判定を実施し、配線異常を検出したときにその旨を報知する。【選択図】        図４
2004344501.tif 000002
【特許請求の範囲】
【請求項１】
複数金種の貨幣を受け付けて、該受け付けた貨幣を識別する貨幣識別手段と、
該複数金種の貨幣額に対応する貨幣額送信線を通じて前記貨幣識別手段にて識別された貨幣額を示す信号を送信する貨幣額送信手段と、
該貨幣額送信手段から送信された貨幣額を示す信号から特定される貨幣額に対応する有価価値の大きさを記憶する有価価値記憶手段と、
該有価価値記憶手段に記憶されている有価価値の大きさの範囲内における所定の大きさの有価価値に相当する遊技媒体を貸与するための貸与処理を行う遊技媒体貸与処理手段と、を備える遊技用装置であって、
前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段と、
該配線異常検出手段により前記配線異常が検出されたときにその旨を報知する報知手段と、を備えることを特徴とする遊技用装置。
【請求項２】
請求項１に記載した遊技用装置であって、
前記配線異常検出手段は、各貨幣額送信線毎に前記配線異常判定を実施し、
該配線異常検出手段により前記貨幣額送信線のいずれかについて配線異常が検出されたときに、該配線異常が検出された貨幣額送信線に対応する金種の貨幣の使用を禁止し、該配線異常が検出されなかった貨幣額送信線に対応する金種の貨幣のみ使用可能とするための処理を行う異常貨幣使用禁止手段を備えることを特徴とする遊技用装置。
【請求項３】
請求項１に記載した遊技用装置であって、
前記貨幣識別手段は、硬貨を受け付けて、該受け付けた硬貨を識別する硬貨識別手段と、紙幣を受け付けて、該受け付けた紙幣を識別する紙幣識別手段と、を有し、
前記配線異常検出手段は、前記硬貨識別手段に接続される前記貨幣額送信線と、前記紙幣識別手段に接続される前記貨幣額送信線と、について前記配線異常判定を実施し、
該配線異常検出手段により前記硬貨識別手段に接続される前記貨幣額送信線又は前記紙幣識別手段に接続される前記貨幣額送信線のいずれか一方について配線異常が検出されたときに、該配線異常が検出された貨幣額送信線が接続される前記硬貨識別手段又は前記紙幣識別手段による識別対象である金種の貨幣の使用を禁止し、該配線異常が検出されなかった貨幣額送信線が接続される前記紙幣識別手段又は前記硬貨識別手段による識別対象である金種の貨幣のみ使用可能とするための処理を行う異常貨幣使用禁止手段を備えることを特徴とする遊技用装置。
【請求項４】
請求項１に記載した遊技用装置であって、
前記配線異常検出手段により配線異常が検出されたときに、前記貸与処理を中断するための処理を行う貸与処理中断手段を備えることを特徴とする遊技用装置。
【請求項５】
請求項１〜４のいずれか１つに記載した遊技用装置であって、
前記貨幣額送信手段は、前記配線異常検出手段から送信された判定実施信号に応じて各貨幣額送信線より順に前記応答信号を送信し、
前記配線異常検出手段は、各貨幣額送信線より順に送信される前記応答信号の正規の受信順序を記憶しており、該各貨幣額送信線より順に送信されてくる前記応答信号の受信に基づいて前記貨幣額送信線の配線異常判定を実施して、該応答信号の受信順序と前記正規の受信順序とが異なるときに前記配線異常と検出することを特徴とする遊技用装置。
【請求項６】
請求項５に記載した遊技用装置であって、
前記貨幣額送信手段は、各貨幣額送信線より順に送信する前記応答信号を所定時間間隔で送信し、
前記配線異常検出手段は、各貨幣額送信線より順に送信されてくる前記応答信号の受信に基づいて前記貨幣額送信線の配線異常判定を実施して、同時期に複数の応答信号を受信したときに前記配線異常と検出することを特徴とする遊技用装置。
【請求項７】
請求項５に記載した遊技用装置であって、
前記貨幣額送信手段は、各貨幣額送信線より順に送信する前記応答信号を所定時間間隔で送信し、
前記配線異常検出手段は、各貨幣額送信線より順に送信されてくる前記応答信号の受信に基づいて前記貨幣額送信線の配線異常判定を実施して、該応答信号の受信間隔が許容時間内であるか否かの確認を行い、該応答信号の受信間隔が許容時間内でないときに前記配線異常と検出することを特徴とする遊技用装置。
【請求項８】
請求項１〜７のいずれか１つに記載した遊技用装置であって、
前記配線異常検出手段は、前記遊技用装置の起動時に前記判定実施信号を送信することを特徴とする遊技用装置。
【請求項９】
請求項１〜８のいずれか１つに記載した遊技用装置であって、
前記貨幣額送信手段は、前記貨幣識別手段により貨幣が識別される毎に該貨幣が識別された旨の貨幣識別信号を送信し、
前記配線異常検出手段は、該貨幣額送信手段から送信されてくる貨幣識別信号を受信する毎に前記判定実施信号を送信することを特徴とする遊技用装置。
【発明の詳細な説明】
【０００１】
【発明の属する技術分野】
本発明は、貨幣を受け付けて遊技媒体を貸与するための処理を行う遊技媒体貸与処理手段を有する遊技用装置に係り、特に複数金種の貨幣を受け付けて、該複数金種の貨幣額に対応する貨幣額送信線の配線異常を検出可能な遊技用装置に関する。
【０００２】
【従来の技術】
従来より、遊技機（例えばパチンコ機）に対応して設けられ、貨幣を受け付けて遊技媒体（例えばパチンコ玉）を貸与するための処理（例えば玉貸処理）を行う遊技用装置（例えば玉貸ユニット）として、複数金種の貨幣（例えば千円紙幣，二千円紙幣，五千円紙幣，及び一万円紙幣）を受け付けて、貨幣識別手段が該受け付けた貨幣の貨幣額を識別して該貨幣額を特定可能な情報を制御部に送信し、制御部が該情報から特定される貨幣額を記憶して、該記憶した貨幣額（即ち残額）に基づいて遊技媒体の貸与を行うものが提案されている（例えば特許文献１を参照）。このような遊技用装置の貨幣識別手段には、各貨幣額に対応した貨幣額送信線（例えば千円信号送信線，二千円信号送信線，五千円信号送信線，及び一万円信号送信線）が設けられていて、該貨幣額送信線を通じて各貨幣額を示す信号（例えば千円信号，二千円信号，五千円信号，及び一万円信号）を制御部に送信していた。
【０００３】
【特許文献１】
特開２００２−３６０９１０号公報（第２頁，図５）
【０００４】
【発明が解決しようとする課題】
しかしながら、前記遊技用装置において貨幣額送信線が組み替えられると、例えば貨幣識別手段にて千円が識別されたにも拘わらず該組み替えられた貨幣額送信線を通じて一万円の貨幣額を示す信号が送信されたりするため、該貨幣額送信線の組み替えを狙った不正が行われる可能性がある。またこの遊技用装置の製造時に貨幣額送信線が誤って配線されているときもある。
【０００５】
本発明は、このような背景のもとになされたものであり、その目的は、複数金種の貨幣額に対応する貨幣額送信線の不正配線や誤配線等の配線異常を検出可能な遊技用装置を提供することにある。
【０００６】
【課題を解決するための手段】
本発明は、前記課題を解決するために、次のような手段を採る。
【０００７】
まず請求項１に係る発明は、複数金種の貨幣を受け付けて、該受け付けた貨幣を識別する貨幣識別手段と、該複数金種の貨幣額に対応する貨幣額送信線を通じて前記貨幣識別手段にて識別された貨幣額を示す信号を送信する貨幣額送信手段と、該貨幣額送信手段から送信された貨幣額を示す信号から特定される貨幣額に対応する有価価値の大きさを記憶する有価価値記憶手段と、該有価価値記憶手段に記憶されている有価価値の大きさの範囲内における所定の大きさの有価価値に相当する遊技媒体を貸与するための貸与処理を行う遊技媒体貸与処理手段と、を備える遊技用装置であって、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段と、該配線異常検出手段により前記配線異常が検出されたときにその旨を報知する報知手段と、を備えることを特徴とする遊技用装置である。
【０００８】
また請求項２に係る発明は、請求項１に記載した遊技用装置であって、前記配線異常検出手段は、各貨幣額送信線毎に前記配線異常判定を実施し、該配線異常検出手段により前記貨幣額送信線のいずれかについて配線異常が検出されたときに、該配線異常が検出された貨幣額送信線に対応する金種の貨幣の使用を禁止し、該配線異常が検出されなかった貨幣額送信線に対応する金種の貨幣のみ使用可能とするための処理を行う異常貨幣使用禁止手段を備えることを特徴とする遊技用装置である。
【０００９】
また請求項３に係る発明は、請求項１に記載した遊技用装置であって、前記貨幣識別手段は、硬貨を受け付けて、該受け付けた硬貨を識別する硬貨識別手段と、紙幣を受け付けて、該受け付けた紙幣を識別する紙幣識別手段と、を有し、前記配線異常検出手段は、前記硬貨識別手段に接続される前記貨幣額送信線と、前記紙幣識別手段に接続される前記貨幣額送信線と、について前記配線異常判定を実施し、該配線異常検出手段により前記硬貨識別手段に接続される前記貨幣額送信線又は前記紙幣識別手段に接続される前記貨幣額送信線のいずれか一方について配線異常が検出されたときに、該配線異常が検出された貨幣額送信線が接続される前記硬貨識別手段又は前記紙幣識別手段による識別対象である金種の貨幣の使用を禁止し、該配線異常が検出されなかった貨幣額送信線が接続される前記紙幣識別手段又は前記硬貨識別手段による識別対象である金種の貨幣のみ使用可能とするための処理を行う異常貨幣使用禁止手段を備えることを特徴とする遊技用装置である。
【００１０】
また請求項４に係る発明は、請求項１に記載した遊技用装置であって、前記配線異常検出手段により配線異常が検出されたときに、前記貸与処理を中断するための処理を行う貸与処理中断手段を備えることを特徴とする遊技用装置である。
【００１１】
また請求項５に係る発明は、請求項１〜４のいずれか１つに記載した遊技用装置であって、前記貨幣額送信手段は、前記配線異常検出手段から送信された判定実施信号に応じて各貨幣額送信線より順に前記応答信号を送信し、前記配線異常検出手段は、各貨幣額送信線より順に送信される前記応答信号の正規の受信順序を記憶しており、該各貨幣額送信線より順に送信されてくる前記応答信号の受信に基づいて前記貨幣額送信線の配線異常判定を実施して、該応答信号の受信順序と前記正規の受信順序とが異なるときに前記配線異常と検出することを特徴とする遊技用装置である。
【００１２】
また請求項６に係る発明は、請求項５に記載した遊技用装置であって、前記貨幣額送信手段は、各貨幣額送信線より順に送信する前記応答信号を所定時間間隔で送信し、前記配線異常検出手段は、各貨幣額送信線より順に送信されてくる前記応答信号の受信に基づいて前記貨幣額送信線の配線異常判定を実施して、同時期に複数の応答信号を受信したときに前記配線異常と検出することを特徴とする遊技用装置である。
【００１３】
また請求項７に係る発明は、請求項５に記載した遊技用装置であって、前記貨幣額送信手段は、各貨幣額送信線より順に送信する前記応答信号を所定時間間隔で送信し、前記配線異常検出手段は、各貨幣額送信線より順に送信されてくる前記応答信号の受信に基づいて前記貨幣額送信線の配線異常判定を実施して、該応答信号の受信間隔が許容時間内であるか否かの確認を行い、該応答信号の受信間隔が許容時間内でないときに前記配線異常と検出することを特徴とする遊技用装置である。
【００１４】
また請求項８に係る発明は、請求項１〜７のいずれか１つに記載した遊技用装置であって、前記配線異常検出手段は、前記遊技用装置の起動時に前記判定実施信号を送信することを特徴とする遊技用装置である。
【００１５】
さらに請求項９に係る発明は、請求項１〜８のいずれか１つに記載した遊技用装置であって、前記貨幣額送信手段は、前記貨幣識別手段により貨幣が識別される毎に該貨幣が識別された旨の貨幣識別信号を送信し、前記配線異常検出手段は、該貨幣額送信手段から送信されてくる貨幣識別信号を受信する毎に前記判定実施信号を送信することを特徴とする遊技用装置である。
【００１６】
【発明の実施の形態】
以下、本発明の実施の形態を、図面を参照して説明する。本発明に係る遊技用装置である玉貸ユニット２０は、図１に示すように、貨幣を受け付けて遊技媒体（パチンコ玉）を貸与するための処理を行う遊技媒体貸与処理手段を有するものであり、特に複数金種の貨幣を受け付けて該複数金種の貨幣額に対応する貨幣額送信線（信号配線２７）の配線異常を検出可能なものである。
【００１７】
この玉貸ユニット２０では、前記貨幣として、図２に示すように、千円紙幣，二千円紙幣，五千円紙幣，及び一万円紙幣の４種類の紙幣２と、百円硬貨，及び五百円硬貨の２種類の硬貨３が使用される。また、玉貸ユニット２０では図２に示すように、精算カード４も使用される。この精算カード４は記録媒体の一例であって、例えば長方形状を呈するプラスチック製の薄板における所定の部位に、残度数を記録可能な記録領域（図示外）が形成されてなるものであり、ここでは該記録領域として磁気テープを備える磁気カードである。この精算カード４は、遊技場の店員から遊技者に対して手渡されるか、又は発行装置（図示外）から遊技者に対して発行される。
【００１８】
ここで玉貸ユニット２０には、該玉貸ユニット２０の起動時に前記配線異常の検出を行う第１実施形態に係る玉貸ユニット２０と、貨幣の識別毎に前記配線異常の検出を行う第２実施形態に係る玉貸ユニット２０と、が含まれる。以下においては、まず図１及び図２を参照して、第１実施形態及び第２実施形態に係る玉貸ユニット２０の各構成要素について説明し、次に図３及び図４を参照して、第１実施形態に係る玉貸ユニット２０における配線異常の検出について説明し、次に図５及び図６を参照して、第２実施形態に係る玉貸ユニット２０における配線異常の検出について説明し、最後に図７及び図８を参照して、別形態に係る配線異常の検出について説明する。
【００１９】
図１は本発明に係る遊技用装置である玉貸ユニット２０を含む遊技用システム１の一例を表す機能ブロック図である。遊技用システム１は、遊技機であるパチンコ機１０に対応して設けられた玉貸ユニット２０と、該玉貸ユニット２０と通信可能なホールコンピュータ４０から構成される。
【００２０】
パチンコ機１０は遊技機の一例であって、遊技場における遊技島（図示外）において機種等に従って所定の位置に配置され、遊技媒体であるパチンコ玉を遊技領域に打ち込むことにより遊技を行うものであり、ここでは対応する玉貸ユニット２０の後述する玉払出機３３から払い出されて貸与されたパチンコ玉が、後述するノズル３３ａを介して該パチンコ機１０の上皿に供給される、いわゆる現金機である。このパチンコ機１０は、台番号により個々に識別可能とされている。
【００２１】
玉貸ユニット２０は遊技用装置の一例であって、図１に示すように、パチンコ機１０に対応して（ここではパチンコ機１０の左側に隣接して）設けられ、縦長の箱型の形状を呈するものである。この玉貸ユニット２０は、遊技用装置識別情報であるユニットＩＤにより個々に識別可能とされている。
【００２２】
この玉貸ユニット２０の前面には、図２（ａ）に示すように、上から順に動作ランプ２３，紙幣挿入口２４ａ，硬貨挿入口２５ａ，硬貨返却ボタン２８，玉貸単位度数表示器２９，玉貸単位度数設定ボタン３０，残度数表示器３１，玉貸ボタン３２，ノズル３３ａを備える玉払出機３３，書込完了ランプ３４，遊技終了ボタン３５，及びカード挿入口３６ａが設けられている。また玉貸ユニット２０の内部には、図２（ｂ）に示すように、紙幣識別機２４，貨幣額通信部２６，硬貨識別機２５，信号配線２７，制御部２２，玉払出機３３，カードリーダライタ３６，及び通信部２１が設けられている。これら玉貸ユニット２０に設けられる各構成要素は、図１に示すように接続されている。
【００２３】
通信部２１は、集中制御装置であるホールコンピュータ４０と通信可能に接続されており、玉貸ユニット２０とホールコンピュータ４０との間における通信を司るものである。具体的には、この通信部２１は、紙幣識別機２４又は硬貨識別機２５により識別された貨幣の金額に相当する有価価値の大きさ（即ち入金度数）を特定可能な度数情報と、玉貸ユニット２０を個々に識別可能な装置識別情報（即ちユニットＩＤ）と、を含む有価価値情報をホールコンピュータ４０に送信するものである。
【００２４】
また、通信部２１は、後述する遊技媒体貸与処理手段により遊技媒体の貸与に使用された有価価値の大きさ（即ち使用度数）を特定可能な使用有価価値情報をホールコンピュータ４０に送信するものである。ここで有価価値の大きさとは、遊技媒体の貸与代金である貨幣の金額が所定の比率（例えば１００円で１度数）で換算された度数である。
【００２５】
さらに通信部２１は、遊技終了ボタン３５により遊技終了操作が検出されたときに、ユニットＩＤ及び後述する有価価値記憶手段である制御部２２に記憶されている残度数を特定可能な情報を含む遊技終了要求をホールコンピュータ４０に送信するものである。なお通信部２１は、該遊技終了要求の送信に応じてホールコンピュータ４０から送信されてくる遊技終了許諾情報を受信する。
【００２６】
制御部２２は、ＣＰＵ，ＲＡＭ，ＲＯＭ等を備えており、ＲＯＭに記憶されている処理プログラムがＲＡＭを作業領域としてＣＰＵで実行されることにより、玉貸ユニット２０に備えられる各構成要素の動作を制御して各種の処理を行うものである。この制御部２２は、紙幣識別機２４及び硬貨識別機２５に対して、該紙幣識別機２４及び硬貨識別機２５にて受け付けられている紙幣２及び硬貨３の取込を指示する取込信号や、該紙幣識別機２４及び硬貨識別機２５にて受け付けられている紙幣２及び硬貨３の排出を指示するペイアウト信号を送信するものである。また制御部２２は、前記配線異常の検出を行う配線異常検出手段として機能するものでもある。なお制御部２２が配線異常検出手段として機能するときの詳細については、図３〜図８を参照して後述する。
【００２７】
また制御部２２は有価価値記憶手段の一例であって、後述する貨幣額送信手段である貨幣額通信部２６から送信された貨幣額を示す信号から特定される貨幣額に対応する有価価値の大きさ（残度数）を記憶するものである。ここで記憶される有価価値の大きさに基づいて、残度数表示器３１に残度数が表示される。
【００２８】
また制御部２２は遊技媒体貸与処理手段の一例であって、有価価値記憶手段に記憶されている有価価値の大きさ（残度数）の範囲内における所定の大きさの有価価値に相当する遊技媒体を貸与するための貸与処理を行うものであり、具体的には、玉貸ボタン３２が押されたことを検知することによって、所定数のパチンコ玉の払出を玉払出機３３に指示する処理を行う。ここで、残度数≧玉貸単位度数であるときには該玉貸単位度数に相当するパチンコ玉の払出を玉払出機３３に対して指示し、残度数＜玉貸単位度数であるときには該残度数に相当するパチンコ玉の払出を玉払出機３３に対して指示する。
【００２９】
また制御部２２は異常貨幣使用禁止手段の一例であって、配線異常検出手段（ここでは制御部２２）により貨幣額送信線のいずれかについて配線異常が検出されたときに、該配線異常が検出された貨幣額送信線に対応する金種の貨幣の使用を禁止し、該配線異常が検出されなかった貨幣額送信線に対応する金種の貨幣のみ使用可能とするための処理を行う。または、制御部２２は配線異常検出手段（ここでは制御部２２）により硬貨識別手段（硬貨識別機２５）に接続される貨幣額送信線（百円信号送信線２７ｃ及び五百円信号送信線２７ｄ）又は紙幣識別手段（紙幣識別機２４）に接続される貨幣額送信線（千円信号送信線２７ｅ，二千円信号送信線２７ｆ，五千円信号送信線２７ｇ，及び一万円信号送信線２７ｈ）のいずれか一方について配線異常が検出されたときに、該配線異常が検出された貨幣額送信線が接続される硬貨識別手段又は紙幣識別手段による識別対象である金種の貨幣の使用を禁止（即ち硬貨の使用，又は紙幣の使用を禁止）し、該配線異常が検出されなかった貨幣額送信線が接続される紙幣識別手段又は硬貨識別手段による識別対象である金種の貨幣のみ使用可能とするための処理を行う。
【００３０】
なお、制御部２２は、配線異常検出手段により配線異常が検出されたときに、前記貸与処理を中断するための処理を行う貸与処理中断手段として機能するものであるが、その作用については後述する。
【００３１】
さらに制御部２２は、有価価値記憶手段に記憶されている残度数を遊技者に対して返却するための処理を行うものであり、具体的には、該残度数の精算カード４に対する書込をカードリーダライタ３６に指示する処理を行う。
【００３２】
動作ランプ２３は報知手段の一例であって、配線異常検出手段として機能する制御部２２により配線異常が検出されたときにその旨を報知するものであり、該制御部２２の制御により点灯して、その旨を報知するものである。また動作ランプ２３は、玉貸ユニット２０の動作の状況を表すためのランプであり、配線異常以外にも玉貸処理や貨幣受付が不可能なとき等、玉貸ユニット２０において何らかのトラブルが生じたときに点滅して注意を促すものである。
【００３３】
紙幣識別機２４は貨幣識別手段の一例であって、貨幣を受け付けて、該受け付けた貨幣を識別するものであり、ここでは紙幣挿入口２４ａから前記４種類の紙幣２を受け付けて、該受け付けた紙幣２を識別する。なお紙幣識別機２４により受け付けられた紙幣２は、玉貸ユニット２０の背面から外部に排出され、遊技島に設けられた紙幣搬送機構（図示外）により搬送されて、金庫（図示外）に回収される。
【００３４】
硬貨識別機２５も貨幣識別手段の一例であって、貨幣を受け付けて、該受け付けた貨幣を識別するものであり、ここでは硬貨挿入口２５ａから前記２種類の硬貨３を受け付けて、該受け付けた硬貨３を識別する。なお硬貨識別機２５により受け付けられた硬貨３も、玉貸ユニット２０の背面から外部に排出され、遊技島に設けられた硬貨搬送機構（図示外）により搬送されて、金庫（図示外）に回収される。
【００３５】
貨幣額通信部２６は貨幣額送信手段の一例であって、前記複数金種の貨幣額に対応する後述する貨幣額送信線を通じて紙幣識別機２４及び硬貨識別機２５にて識別された貨幣額を示す信号を送信するものである。ここで第１実施形態に係る貨幣額通信部２６には、図３（ａ）に示すように、前記取込信号が入力される取込信号入力部２６ａ，前記ペイアウト信号が入力されるペイアウト信号入力部２６ｂ，硬貨識別機２５にて百円硬貨が識別されたときに前記貨幣額を示す信号として百円信号が出力される百円信号出力部２６ｃ，硬貨識別機２５にて五百円硬貨が識別されたときに前記貨幣額を示す信号として五百円信号が出力される五百円信号出力部２６ｄ，紙幣識別機２４にて千円紙幣が識別されたときに前記貨幣額を示す信号として千円信号が出力される千円信号出力部２６ｅ，紙幣識別機２４にて二千円紙幣が識別されたときに前記貨幣額を示す信号として二千円信号が出力される二千円信号出力部２６ｆ，紙幣識別機２４にて五千円紙幣が識別されたときに前記貨幣額を示す信号として五千円信号が出力される五千円信号出力部２６ｇ，及び紙幣識別機２４にて一万円紙幣が識別されたときに前記貨幣額を示す信号として一万円信号が出力される一万円信号出力部２６ｈが含まれる。
【００３６】
また第２実施形態に係る貨幣額通信部２６には、図５（ａ）に示すように、それら２６ａ〜２６ｈに加えて、紙幣識別機２４及び硬貨識別機２５にて貨幣が識別される毎に該貨幣が識別された旨の貨幣識別信号が出力される貨幣識別信号出力部２６ｉが含まれる。なお、配線異常が検出されたときの作用については後述する。
【００３７】
信号配線２７は、制御部２２と貨幣額通信部２６との間における信号の送受信を行うための配線である。ここで第１実施形態に係る信号配線２７には、図３（ａ）に示すように、制御部２２から貨幣額通信部２６に対して送信される前記取込信号を受信するための取込信号受信線２７ａ，及び前記ペイアウト信号を受信するためのペイアウト信号受信線２７ｂと、貨幣額通信部２６から制御部２２に対して前記百円信号を送信するための百円信号送信線２７ｃ，前記五百円信号を送信するための五百円信号送信線２７ｄ，前記千円信号を送信するための千円信号送信線２７ｅ，前記二千円信号を送信するための二千円信号送信線２７ｆ，前記五千円信号を送信するための五千円信号送信線２７ｇ，及び前記一万円信号を送信するための一万円信号送信線２７ｈが含まれる。これら百円信号送信線２７ｃ，五百円信号送信線２７ｄ，千円信号送信線２７ｅ，二千円信号送信線２７ｆ，五千円信号送信線２７ｇ，及び一万円信号送信線２７ｈが、複数金種の貨幣額に対応する貨幣額送信線である。
【００３８】
また第２実施形態に係る信号配線２７には、図５（ａ）に示すように、それら２７ａ〜２７ｈに加えて、貨幣額通信部２６から制御部２２に対して前記貨幣識別信号を送信するための貨幣識別信号送信線２７ｉが含まれる。
【００３９】
硬貨返却ボタン２８は、硬貨挿入口２５ａと硬貨識別機２５とを連通する通路や硬貨識別機２５において詰まった硬貨３の返却操作を受け付けるためのボタンであり、遊技者により硬貨返却ボタン２８が操作されると、該詰まった硬貨３が硬貨返却口２８ａに戻る。
【００４０】
玉貸単位度数設定ボタン３０は、玉貸ボタン３２の操作に応じて１回の玉貸に使用される玉貸単位度数を設定するためのボタンであり、遊技者により玉貸単位度数設定ボタン３０が操作されると、例えば１度数→２度数→３度数→５度数の順で玉貸単位度数が選択されて設定され、該設定された玉貸単位度数が玉貸単位度数表示器２９に表示される。残度数表示器３１は、前述したように前記有価価値記憶手段である制御部２２に記憶されている残度数を表示するための表示器である。玉貸ボタン３２は、玉貸操作を受け付けるためのボタンである。
【００４１】
玉払出機３３は、遊技島に設けられた補給樋（図示外）からパチンコ玉の供給を受けて、前記遊技媒体貸与処理手段である制御部２２からの指示に応じて、該供給されたパチンコ玉を払い出して貸与するためのものである。ここで払い出されて貸与されたパチンコ玉は、ノズル３３ａを介してパチンコ機１０の上皿に供給される。
【００４２】
遊技終了ボタン３５は、遊技者による遊技終了操作を検出するものである。この遊技終了ボタン３５が遊技者により操作されると、遊技終了操作が検出される。書込完了ランプ３４は、前記有価価値記憶手段である制御部２２に記憶されている残度数が精算カード４に対して書き込まれたことを報知するためのランプであり、具体的には、該残度数が精算カード４に対して書き込まれたときに、書込完了ランプ３４が青色に点灯して書込完了が報知され、後述するカードリーダライタ３６により受け付けられている精算カード４のロックが解除されて該精算カード４をカード挿入口３６ａから引き抜き可能となる。
【００４３】
カードリーダライタ３６は、カード挿入口３６ａから遊技者が所有する精算カード４を受け付けて、該受け付けた精算カード４から残度数を読み取ると共に、該受け付けた精算カード４に対して前記有価価値記憶手段（ここでは制御部２２）に記憶されている残度数を書き込むものである。このカードリーダライタ３６は、前記磁気カードである精算カード４の磁気テープに対する読み書きを行う磁気ヘッドを備えており、図２（ｂ）に示すように、該精算カード４の一部分を取り込んで残度数の読取・書込を行うと共に、残度数の書込が完了するまで該精算カード４をロックして、該精算カード４をカード挿入口３６ａから引き抜き不能とするように構成されている。遊技者は、残度数が書き込まれた精算カード４を玉貸ユニット２０のカードリーダライタ３６に挿入することにより、該精算カード４に書き込まれた残度数に基づいて遊技媒体の貸与を受けることが可能であると共に、残度数が書き込まれた精算カード４を精算装置（図示外）に挿入することにより、該精算カード４に書き込まれた残度数に基づいて該残度数に相当する金額の貨幣（即ち釣銭）の返却を受けることが可能である。
【００４４】
ホールコンピュータ４０は、複数の玉貸ユニット２０と通信可能な集中制御装置であって、玉貸ユニット２０から送信された有価価値情報に基づいて、紙幣識別機２４又は硬貨識別機２５により識別された貨幣の金額に相当する有価価値の大きさ（即ち入金度数）と、玉貸ユニット２０を個々に識別可能な装置識別情報（即ちユニットＩＤ）と、を対応付けて記憶する。また、玉貸ユニット２０から送信された使用有価価値情報に基づいて、遊技媒体の貸与に使用された有価価値の大きさ（即ち使用度数）を前記入金度数から減算更新する。さらに玉貸ユニット２０から送信された遊技終了要求に基づいて、該遊技終了要求から特定される残度数と、該遊技終了要求に含まれるユニットＩＤと対応付けて前記記憶されている残度数と、が一致しているか否かを判定し、一致していると判定したことを条件として遊技終了許諾情報を送信元の玉貸ユニット２０に送信する。ここで前記記憶されている残度数は精算装置からも参照可能となっていて、精算時において精算カード４に記憶されている残度数とホールコンピュータ４０に記憶されている残度数の照合をすることによって不正を防止することができる。
【００４５】
以上に説明した玉貸ユニット２０では、起動時（第１実施形態）又は貨幣の識別毎（第２実施形態）に、後述する配線異常の検出が行われる。ここで配線異常が検出されたときには、動作ランプ２３により、その旨が報知される。一方、配線異常が検出されないときには、制御部２２により以下に示す処理が行われる。
【００４６】
即ち、まず紙幣挿入口２４ａ又は硬貨挿入口２５ａから紙幣２又は硬貨３が挿入されると、紙幣識別機２４又は硬貨識別機２５にて受け付けられた紙幣２又は硬貨３の貨幣額が識別される。ここで該貨幣額が識別されたときには、取込信号が取込信号受信線２７ａを通じて制御部２２から貨幣額通信部２６に対して送信され、該送信された取込信号に基づいて紙幣識別機２４にて受け付けられている（留保されている）紙幣２は、玉貸ユニット２０の背面から外部に排出され、遊技島に設けられた紙幣搬送機構（図示外）により搬送されて、金庫（図示外）に回収される。また、該識別された貨幣額（即ち識別額）を示す信号（百円信号，五百円信号，千円信号，二千円信号，五千円信号，又は一万円信号）が対応する貨幣額送信線（百円信号送信線２７ｃ，五百円信号送信線２７ｄ，千円信号送信線２７ｅ，二千円信号送信線２７ｆ，五千円信号送信線２７ｇ，又は一万円信号送信線２７ｈ）を通じて貨幣額通信部２６から制御部２２に対して送信され、該識別額に対応する有価価値の大きさ（即ち入金度数）が制御部２２のＲＡＭに記憶されると共に残度数表示器３１に表示され、該記憶された有価価値の大きさの範囲内で玉貸が行われる。
【００４７】
なお挿入された紙幣２又は硬貨３が、紙幣識別機２４又は硬貨識別機２５にて受け付けられないときには，ペイアウト信号がペイアウト信号受信線２７ｂを通じて制御部２２から貨幣額通信部２６に対して送信され、該送信されたペイアウト信号に基づいて紙幣識別機２４又は硬貨識別機２５にて受け付けられている（留保されている）紙幣２又は硬貨３が紙幣挿入口２４ａ又は硬貨返却口２８ａから排出される。
【００４８】
次に図３〜図８を参照して、本発明に係る遊技用装置における配線異常の検出について説明する。遊技用装置である玉貸ユニット２０は、前述の如く配線異常検出手段として機能する制御部２２を備えており、この配線異常検出手段は、貨幣額通信部２６に対して貨幣額送信線２７ｃ〜２７ｈの配線異常判定を実施する旨の判定実施信号を送信すると共に、該判定実施信号に応じて前記貨幣額通信部２６から送信されてくる応答信号の受信に基づいて貨幣額送信線２７ｃ〜２７ｈの配線異常判定を実施して、該配線異常の有無を検出し、配線異常を検出したときに、その旨を報知するための処理を行う。
【００４９】
まず図３（ａ）は第１実施形態（起動時に検出）に係る遊技用装置（玉貸ユニット２０）における，紙幣識別機２４，硬貨識別機２５，貨幣額通信部２６，及び制御部２２の正規配線を表す図であり、図３（ｂ）はそのときにおける配線異常の検出を表すタイミングチャートである。この第１実施形態に係る玉貸ユニット２０では、該玉貸ユニット２０の起動時に配線異常の検出が行われるので、毎日１回は配線異常を確認できる。以下、第１実施形態に係る玉貸ユニット２０における配線異常の検出の手順について説明する。
【００５０】
まず玉貸ユニット２０の起動時に、配線異常検出手段として機能する制御部２２から貨幣額通信部２６に対して前記判定実施信号を送信する。ここでの判定実施信号は、通常は同時に送信されることがない取込信号とペイアウト信号が同時に送信されるものであり、具体的には図３（ｂ）に示すように、取込信号とペイアウト信号が同時に、所定時間（例えば５０ミリ秒）ＯＮ→所定時間（例えば５０ミリ秒）ＯＦＦ→継続的にＯＮと出力される。
【００５１】
次に該送信されてくる判定実施信号に応じて、貨幣額通信部２６から各貨幣額送信線２７ｃ〜２７ｈより所定時間間隔で順に応答信号を送信する。ここでの応答信号は、前記百円信号，五百円信号，千円信号，二千円信号，五千円信号，及び一万円信号が所定時間間隔でこの順に送信されるものであり、具体的には図３（ｂ）に示すように、まず所定長さＡ（例えば５０ミリ秒）の百円信号が出力され、次に所定時間間隔Ｂ（例えば５０ミリ秒）を空けて所定長さＡの五百円信号が出力され、次に所定時間間隔Ｂを空けて所定長さＡの千円信号が出力され、次に所定時間間隔Ｂを空けて所定長さＡの二千円信号が出力され、次に所定時間間隔Ｂを空けて所定長さＡの五千円信号が出力され、最後に所定時間間隔Ｂを空けて所定長さＡの一万円信号が出力される。
【００５２】
次に配線異常検出手段として機能する制御部２２は、各貨幣額送信線２７ｃ〜２７ｈより順に送信される応答信号の正規の受信順序（即ち百円信号，五百円信号，千円信号，二千円信号，五千円信号，及び一万円信号の順）を記憶しており、該各貨幣額送信線２７ｃ〜２７ｈより順に送信されてくる応答信号の受信に基づいて貨幣額送信線２７ｃ〜２７ｈの配線異常判定を実施して、応答信号の受信順序と正規の受信順序とが異なるときに配線異常と検出する。ここでの応答信号の受信順序は、図３（ｂ）に示すように、百円信号，五百円信号，千円信号，二千円信号，五千円信号，及び一万円信号の順であり、正規の受信順序と一致するため、配線異常は検出されず、該配線異常が検出された旨の報知も行われない。
その後に取込信号とペイアウト信号が同時にＯＦＦにされて、配線異常判定が終了する。
【００５３】
次に図４（ａ）は第１実施形態（起動時に検出）に係る遊技用装置（玉貸ユニット２０）における，紙幣識別機２４，硬貨識別機２５，貨幣額通信部２６，及び制御部２２の配線異常を表す図であり、図４（ｂ）はそのときにおける配線異常の検出を表すタイミングチャートである。
【００５４】
この例では、図４（ａ）に示すように、貨幣額送信線である千円信号送信線２７ｅと一万円信号送信線２７ｈが組み替えられており、紙幣識別機２４にて千円が識別されたときに該組み替えられた貨幣額送信線を通じて一万円の貨幣額を示す信号が送信される配線異常が生じている。
【００５５】
この例において、前述の如く玉貸ユニット２０の起動時に、配線異常検出手段として機能する制御部２２から貨幣額通信部２６に対して前記判定実施信号を送信すると、該送信されてくる判定実施信号に応じて、貨幣額通信部２６から各貨幣額送信線２７ｃ〜２７ｈより所定時間間隔で順に応答信号を送信する。ここでの応答信号は、貨幣額送信線が組み替えられているため、図４（ｂ）に示すように、まず所定長さＡ（例えば５０ミリ秒）の百円信号が出力され、次に所定時間間隔Ｂ（例えば５０ミリ秒）を空けて所定長さＡの五百円信号が出力され、次に所定時間間隔Ｂを空けて所定長さＡの一万円信号が出力され、次に所定時間間隔Ｂを空けて所定長さＡの二千円信号が出力され、次に所定時間間隔Ｂを空けて所定長さＡの五千円信号が出力され、最後に所定時間間隔Ｂを空けて所定長さＡの千円信号が出力される。
【００５６】
次に配線異常検出手段として機能する制御部２２は、前述の如く配線異常判定を実施するが、ここでの応答信号の受信順序は、図４（ｂ）に示すように、百円信号，五百円信号，一万円信号，二千円信号，五千円信号，及び千円信号の順であり、前述の如く記憶されている正規の受信順序（即ち百円信号，五百円信号，千円信号，二千円信号，五千円信号，及び一万円信号の順）と異なるため、配線異常が検出される。そして該制御部２２により動作ランプ２３が点灯し、配線異常が検出された旨が報知される。ここで配線異常が検出されたときの処理としては、以下に示す３通りの処理のうち、予め選択された１つの処理が行われる。
【００５７】
まず第１の処理について説明する。この第１の処理は、配線異常検出手段により貨幣額送信線のいずれかについて配線異常が検出されたときに、該配線異常が検出された貨幣額送信線に対応する金種の貨幣の使用を禁止し、該配線異常が検出されなかった貨幣額送信線に対応する金種の貨幣のみ使用可能とする。具体的には、配線異常検出手段である制御部２２は、上述したように各貨幣額送信線毎（２７ｃ〜２７ｈ）に配線異常判定を実施するが、貨幣額送信手段である貨幣額通信部２６は、該配線異常検出手段により前記貨幣額送信線のいずれかについて配線異常が検出されたときには、該配線異常が検出された貨幣額送信線に対応する金種の貨幣額を示す信号は送信せず、該配線異常が検出されなかった貨幣額送信線に対応する金種の貨幣額を示す信号のみを送信する。即ち、貨幣額通信部２６は、配線異常が検出された千円信号送信線２７ｅ及び一万円信号送信線２７ｈに対応する金種の貨幣額を示す信号（即ち千円信号及び一万円信号）は送信せず、配線異常が検出されなかった百円信号送信線２７ｃ，五百円信号送信線２７ｄ，二千円信号送信線２７ｆ及び五千円信号送信線２７ｇに対応する金種の貨幣額を示す信号（即ち百円信号，五百円信号，二千円信号，及び五千円）のみを送信する。なお、ここでは配線異常が検出された貨幣額送信線に対応する金種の貨幣額を示す信号が送信されないようにしたが、これに限らず前記配線異常が検出された貨幣額送信線に対応する金種の貨幣を使用不可能とする手段であればよい。
例えば、配線異常検出手段である制御部２２に配線異常が検出された貨幣額送信線を特定可能な情報を記憶させておき、配線異常が検出された貨幣額送信線に対応する金種の貨幣額を示す信号を受信したときには、有価価値として記憶せずにペイアウト信号を出力して貨幣が返却されるようにしても良い。このように配線異常検出手段（制御部２２）により千円信号送信線２７ｅ及び一万円信号送信線２７ｈについて配線異常が検出されたときには、配線異常が検出されなかった百円信号送信線２７ｃ，五百円信号送信線２７ｄ，二千円信号送信線２７ｆ及び五千円信号送信線２７ｇに対応する金種の貨幣である百円硬貨，五百円硬貨，二千円紙幣，及び五千円紙幣のみ使用可能とするので、短時間での修復が困難な配線の組み替えがなされたようなときにも、組み替えのなされていない貨幣額送信線に対応する金種の貨幣により遊技媒体の貸与が可能となり、遊技場の売上低下を防止することができるとともに、遊技者の利便性が向上する。
【００５８】
次に第２の処理について説明する。この第２の処理は配線異常検出手段により硬貨識別手段に接続される貨幣額送信線又は紙幣識別手段に接続される貨幣額送信線のいずれか一方について配線異常が検出されたときに、該配線異常が検出された貨幣額送信線が接続される硬貨識別手段又は紙幣識別手段による識別対象である金種の貨幣の使用を禁止し、該配線異常が検出されなかった貨幣額送信線に接続される紙幣識別手段又は硬貨識別手段による識別対象である金種の貨幣のみ使用可能とする。具体的には、配線異常検出手段である制御部２２は、硬貨識別手段（硬貨識別機２５）に接続される貨幣額送信線（百円信号送信線２７ｃ及び五百円信号送信線２７ｄ）と、紙幣識別手段（紙幣識別機２４）に接続される貨幣額送信線（千円信号送信線２７ｅ，二千円信号送信線２７ｆ，五千円信号送信線２７ｇ，及び一万円信号送信線２７ｈ）と、について配線異常判定を実施するが、貨幣額送信手段である貨幣額通信部２６は、該配線異常検出手段により前記硬貨識別手段に接続される貨幣額送信線又は前記紙幣識別手段に接続される前記貨幣額送信線のいずれか一方について配線異常が検出されたときに、該配線異常が検出された貨幣額送信線が接続される前記硬貨識別手段又は前記紙幣識別手段に対応する金種の貨幣額を示す信号は送信せず、該配線異常が検出されなかった貨幣額送信線に接続される前記紙幣識別手段又は前記硬貨識別手段に対応する金種の貨幣額を示す信号のみを送信する。
【００５９】
即ち、貨幣額通信部２６は、配線異常が検出された千円信号送信線２７ｅ，及び一万円信号送信線２７ｈに接続される紙幣識別手段（紙幣識別機２４）に対応する金種の貨幣額（千円，二千円，五千円，及び一万円）を示す信号は送信せず、配線異常が検出されなかった貨幣額送信線に接続される硬貨識別手段（硬貨識別機２５）に対応する金種の貨幣額（百円，及び五百円）を示す信号のみを送信する。なお、ここでは配線異常が検出された貨幣額送信線が接続される硬貨識別手段又は紙幣識別手段に対応する硬貨又は紙幣の貨幣額を示す信号が送信されないようにしたが、これに限らず配線異常が検出された貨幣額送信線が接続される識別手段による識別対象である硬貨又は紙幣を使用不可能とする手段であればよい。例えば、配線異常検出手段である制御部２２に配線異常が検出された貨幣額送信線を特定可能な情報を記憶させておき、当該貨幣額送信線が接続される硬貨識別手段又は紙幣識別手段に対応する硬貨又は紙幣の貨幣額を示す信号を受信したときには、有価価値として記憶せずにペイアウト信号を出力して貨幣が返却されるようにしても良い。このように配線異常検出手段（制御部２２）により紙幣識別手段（紙幣識別機２４）に接続される千円信号送信線２７ｅ及び一万円信号送信線２７ｈについて配線異常が検出されたときには、硬貨識別手段（硬貨識別機２５）による識別対象である金種の貨幣である百円硬貨，及び五百円硬貨のみ使用可能とするので、短時間での修復が困難な配線の組み替えがなされたようなときにも、配線異常のない貨幣識別手段による識別対象である金種の貨幣により遊技媒体の貸与が可能となり、遊技場の売上低下を防止することができるとともに、遊技者の利便性が向上する。
【００６０】
最後に第３の処理について説明する。配線異常検出手段である制御部２２により配線異常が検出されたときに、貸与処理中断手段である制御部２２は貸与処理を中断するための処理を行う。即ち玉貸ユニット２０は、該制御部２２の制御により、紙幣識別機２４又は硬貨識別機２５にて紙幣２又は硬貨３を留保したままの状態でシステムダウンし、玉貸を行うための処理が中断されるので、不正配線や誤配線があっても遊技場が損害を被ることがない。
【００６１】
このように、本発明に係る遊技用装置である玉貸ユニット２０によれば、各貨幣額送信線２７ｃ〜２７ｈより順に送信されてくる応答信号の受信順序を確認することにより配線異常が検出され、該配線異常が検出されたときにその旨が報知されるので、貨幣額送信線２７ｃ〜２７ｈの組み替え等の不正配線や誤配線を発見して、適切な処置（例えば配線確認や正規配線への復帰等）を行うことができる。また配線異常が検出されたときには上記３通りの処理のうちいずれかの処理が行われるため、遊技場の売上低下を防止したり，損害を未然に防ぐことが可能である。
【００６２】
次に図５（ａ）は第２実施形態（貨幣の識別毎に検出）に係る遊技用装置（玉貸ユニット２０）における紙幣識別機２４，硬貨識別機２５，貨幣額通信部２６及び制御部２２の正規配線を表す図であり、図５（ｂ）はそのときにおける配線異常の検出を表すタイミングチャートである。この第２実施形態に係る玉貸ユニット２０では、貨幣の識別毎に配線異常の検出が行われ、より密に配線異常を確認できるので、例えば貨幣額送信線に不正基板が取り付けられる等により不正が行われており、通常時には正規配線として機能するが、不正者が何らかの処理（例えば該不正基板に対して配線の切替を指示する信号を送信する等）を行った時に不正配線として機能するようなときにも、配線異常を検出できる。以下、第２実施形態に係る玉貸ユニット２０における配線異常の検出の手順について説明する。
【００６３】
まず紙幣識別機２４又は硬貨識別機２５により紙幣２又は硬貨３が識別されたときに、図５（ｂ）に示すように、貨幣額通信部２６に設けられる貨幣識別信号出力部２６ｉから配線異常検出手段として機能する制御部２２に対して貨幣識別信号を送信する。なお貨幣識別信号が送信されないで貨幣額を示す信号（百円信号，五百円信号，千円信号，二千円信号，五千円信号，又は一万円信号）が送信されるときにはエラーとされる。
【００６４】
次に該送信されてくる貨幣識別信号の受信に応じて、図５（ｂ）に示すように、配線異常検出手段として機能する制御部２２から貨幣額通信部２６に対して前記判定実施信号を送信する。ここでの判定実施信号は、前述した第１実施形態（図３（ｂ）を参照）と同様のものである。次に該送信されてくる判定実施信号に応じて、図５（ｂ）に示すように、貨幣額通信部２６から各貨幣額送信線２７ｃ〜２７ｈより所定時間間隔で順に応答信号を送信する。ここでの応答信号も、前述した第１実施形態（図３（ｂ）を参照）と同様のものである。次に配線異常検出手段として機能する制御部２２により、前述した第１実施形態と同様に配線異常判定を実施して配線異常を検出する。ここでの応答信号の受信順序は、図５（ｂ）に示すように、百円信号，五百円信号，千円信号，二千円信号，五千円信号，及び一万円信号の順であり、正規の受信順序と一致するため、配線異常は検出されず、該配線異常が検出された旨の報知も行われない。その後に取込信号とペイアウト信号が同時にＯＦＦにされて、配線異常判定が終了する。
【００６５】
次に図６（ａ）は第２実施形態（貨幣の識別毎に検出）に係る遊技用装置（玉貸ユニット２０）における紙幣識別機２４，硬貨識別機２５，貨幣額通信部２６及び制御部２２の配線異常を表す図であり、図６（ｂ）はそのときにおける配線異常の検出を表すタイミングチャートである。
【００６６】
この例では、図６（ａ）に示すように、前述した第１実施形態（図５（ａ）を参照）と同様に、貨幣額送信線である千円信号送信線２７ｅと一万円信号送信線２７ｈが組み替えられており、紙幣識別機２４にて千円が識別されたときに該組み替えられた貨幣額送信線を通じて一万円の貨幣額を示す信号が送信される配線異常が生じている。
【００６７】
この例において、図６（ｂ）に示すように、前述の如く紙幣識別機２４又は硬貨識別機２５により紙幣２又は硬貨３が識別されたときに、貨幣額通信部２６に設けられる貨幣識別信号出力部２６ｉから配線異常検出手段として機能する制御部２２に対して貨幣識別信号を送信すると、該送信されてくる貨幣識別信号に応じて配線異常検出手段として機能する制御部２２から貨幣額通信部２６に対して前記判定実施信号を送信し、該送信されてくる判定実施信号に応じて、貨幣額通信部２６から各貨幣額送信線２７ｃ〜２７ｈより所定時間間隔で順に応答信号を送信する。ここでの応答信号は、前述した第１実施形態（図４（ｂ）を参照）と同様のものである。
【００６８】
次に配線異常検出手段として機能する制御部２２により、前述した第１実施形態と同様に配線異常判定を実施するが、ここでの応答信号の受信順序は、図６（ｂ）に示すように、百円信号，五百円信号，一万円信号，二千円信号，五千円信号，及び千円信号の順であり、前述の如く記憶されている正規の受信順序（即ち百円信号，五百円信号，千円信号，二千円信号，五千円信号，及び一万円信号の順）と異なるため、配線異常が検出される。そして前述した第１実施形態と同様に、配線異常が検出された旨が報知されると共に上述した３通りの処理の内の、予め定められた処理が行われることによって、前述した第１実施形態と同様の効果を奏する。
【００６９】
次に図７（ａ）は遊技用装置（玉貸ユニット２０）における紙幣識別機２４，硬貨識別機２５，貨幣額通信部２６，及び制御部２２の配線異常の別形態を表す図であり、図７（ｂ）はそのときにおける配線異常の検出を表すタイミングチャートである。この配線異常の別形態は、第１実施形態及び第２実施形態の双方に関するものであるが、両実施形態は、前述の如く配線異常の検出が行われるタイミングが異なるのみであり、配線異常判定及び配線異常の検出に係る処理は同様であるため、以下においては第１実施形態に係る玉貸ユニット２０における配線異常の検出の手順について説明する。
【００７０】
この例では、図７（ａ）に示すように、貨幣額送信線である千円信号送信線２７ｅが二つに分配されて一方がそのまま千円信号送信線２７ｅに接続されていると共に他方が一万円信号送信線２７ｈに接続されており、紙幣識別機２４にて千円が識別されたときに該分配された貨幣額送信線を通じて千円の貨幣額を示す信号と一万円の貨幣額を示す信号が同時期に送信される配線異常が生じている。
【００７１】
この例において、前述の如く配線異常検出手段として機能する制御部２２から貨幣額通信部２６に対して前記判定実施信号を送信すると、該送信されてくる判定実施信号に応じて、貨幣額通信部２６から各貨幣額送信線２７ｃ〜２７ｈより所定時間間隔で順に応答信号を送信する。ここでの応答信号は、貨幣額送信線が分配されているため、図７（ｂ）に示すように、所定長さＡ（例えば５０ミリ秒）の百円信号が出力され、次に所定時間間隔Ｂ（例えば５０ミリ秒）を空けて所定長さＡの五百円信号が出力され、次に所定時間間隔Ｂを空けて所定長さＡの千円信号と一万円信号が出力され、次に所定時間間隔Ｂを空けて所定長さＡの二千円信号が出力され、最後に所定時間間隔Ｂを空けて所定長さＡの五千円信号が出力される。
【００７２】
次に配線異常検出手段として機能する制御部２２は、各貨幣額送信線２７ｃ〜２７ｈより順に送信されてくる応答信号の受信に基づいて該貨幣額送信線２７ｃ〜２７ｈの配線異常判定を実施して、同時期に複数の応答信号を受信したときに配線異常があると判定する。ここで「同時期」とは、完全な同時のみならず、ほぼ同時も含む概念である。ここでの応答信号は、図７（ｂ）に示すように、千円信号と一万円信号が同時期に受信されるため、配線異常が検出される。そして前述した第１実施形態と同様に配線異常が検出された旨が報知されると共に、上述した３通りの処理の内の、予め定められた処理が行われることによって、前述した第１実施形態と同様の効果を奏する。
【００７３】
このように、本発明に係る玉貸ユニット２０によれば、各貨幣額送信線２７ｃ〜２７ｈより所定時間間隔で順に送信されてくる応答信号を同時期に複数受信したときにも配線異常が検出されるので、一つの貨幣額送信線を二以上に分配するような不正配線や誤配線を発見して、適切な処置（例えば配線確認や正規配線への復帰等）を行うことができる。
【００７４】
次に図８はさらに別形態に係る配線異常の検出を表すタイミングチャートである。この別形態に係る配線異常も、第１実施形態及び第２実施形態の双方に関するものである。
【００７５】
この例では、例えば貨幣額送信線に不正基板が取り付けられる等により正規配線に比べて負荷が変位（例えば過負荷，又は軽負荷）しているために、該貨幣額送信線を通じて送信される応答信号の送信タイミングにズレが生じ、該応答信号の受信間隔が許容時間内でなくなるような配線異常が生じている。
【００７６】
この例において、前述の如く配線異常検出手段として機能する制御部２２から貨幣額通信部２６に対して前記判定実施信号を送信すると、該送信されてくる判定実施信号に応じて、貨幣額通信部２６から各貨幣額送信線２７ｃ〜２７ｈより所定時間間隔で順に応答信号を送信する。ここでの応答信号は、前記配線異常が生じているため、図８に示すように、所定長さＡ（例えば５０ミリ秒）の百円信号が出力され、次に所定時間間隔Ｂ（例えば５０ミリ秒）を空けて所定長さＡの五百円信号が出力され、次に所定時間間隔Ｂを空けて所定長さＡの千円信号が出力され、次に所定時間間隔Ｂよりも長い時間間隔Ｂ’（例えば７０ミリ秒）を空けて所定長さＡの二千円信号が出力され、次に所定時間間隔Ｂよりも短い時間間隔Ｂ”（例えば３０ミリ秒）を空けて所定長さＡの五千円信号が出力され、最後に所定時間間隔Ｂを空けて所定長さＡの一万円信号が出力される。
【００７７】
次に配線異常検出手段として機能する制御部２２は、各貨幣額送信線２７ｃ〜２７ｈより順に送信されてくる応答信号の受信に基づいて該貨幣額送信線２７ｃ〜２７ｈの配線異常判定を実施して、該応答信号の受信間隔が許容時間内であるか否かの確認を行い、該応答信号の受信間隔が許容時間内でないときに配線異常があると判定する。ここで「許容時間内」は、例えば前記所定時間間隔Ｂの±２０％以内に設定される。なお該許容時間は任意に設定可能である。ここでの応答信号は、図８に示すように、二千円信号の受信間隔である時間間隔Ｂ’が許容時間の上限（ここでは６０ミリ秒）を超えており、また五千円信号の受信間隔である時間間隔Ｂ”が許容時間の下限（ここでは４０ミリ秒）未満であるため、応答信号の受信間隔が許容時間内でないとして配線異常が検出される。そして前述した第１実施形態と同様に、配線異常が検出された旨が報知されると共に、上述した３通りの処理の内の、予め定められた処理が行われる。
【００７８】
このように、本発明に係る玉貸ユニット２０によれば、各貨幣額送信線２７ｃ〜２７ｈより所定時間間隔で順に送信されてくる応答信号の受信間隔が許容時間内でないときにも配線異常が検出されるので、何らかの不正配線が行われた可能性がある貨幣額送信線を確認して適切な処置（例えば配線確認や正規配線への復帰等）を行うことができる。
【００７９】
以上に説明した実施形態と対応付けて本願の請求項に係る発明を説明すると、以下のとおりである。
【００８０】
まず請求項１に係る発明は、複数金種の貨幣（紙幣２及び硬貨３）を受け付けて、該受け付けた貨幣を識別する貨幣識別手段（紙幣識別機２４及び硬貨識別機２５）と、該複数金種の貨幣額に対応する貨幣額送信線（２７ｃ〜２７ｈ）を通じて前記貨幣識別手段にて識別された貨幣額を示す信号を送信する貨幣額送信手段（貨幣額通信部２６）と、該貨幣額送信手段から送信された貨幣額を示す信号から特定される貨幣額に対応する有価価値の大きさを記憶する有価価値記憶手段（制御部２２）と、該有価価値記憶手段に記憶されている有価価値の大きさの範囲内における所定の大きさの有価価値に相当する遊技媒体を貸与するための貸与処理を行う遊技媒体貸与処理手段（制御部２２）と、を備える遊技用装置（玉貸ユニット２０）であって、前記貨幣額送信手段に対して前記貨幣額送信線の配線異常判定を実施する旨の判定実施信号を送信すると共に、該判定実施信号に応じて前記貨幣額送信手段から送信されてくる応答信号の受信に基づいて前記貨幣額送信線の配線異常判定を実施して、該配線異常の有無を検出する配線異常検出手段（制御部２２）と、該配線異常検出手段により前記配線異常が検出されたときにその旨を報知する報知手段（動作ランプ２３）と、を備えることを特徴とする遊技用装置である。
【００８１】
また請求項２に係る発明は、請求項１に記載した遊技用装置（玉貸ユニット２０）であって、前記配線異常検出手段（制御部２２）は、各貨幣額送信線（２７ｃ〜２７ｈ）毎に前記配線異常判定を実施し、該配線異常検出手段により前記貨幣額送信線のいずれかについて配線異常が検出されたときに、該配線異常が検出された貨幣額送信線に対応する金種の貨幣の使用を禁止し、該配線異常が検出されなかった貨幣額送信線に対応する金種の貨幣のみ使用可能とするための処理を行う異常貨幣使用禁止手段（制御部２２）を備えることを特徴とする遊技用装置である。
【００８２】
また請求項３に係る発明は、請求項１に記載した遊技用装置（玉貸ユニット２０）であって、前記貨幣識別手段（紙幣識別機２４及び硬貨識別機２５）は、硬貨（３）を受け付けて、該受け付けた硬貨を識別する硬貨識別手段（硬貨識別機２５）と、紙幣（２）を受け付けて、該受け付けた紙幣を識別する紙幣識別手段（紙幣識別機２４）と、を有し、前記配線異常検出手段（制御部２２）は、前記硬貨識別手段に接続される前記貨幣額送信線（２７ｃ及び２７ｄ）と、前記紙幣識別手段に接続される前記貨幣額送信線（２７ｅ〜２７ｈ）と、について前記配線異常判定を実施し、該配線異常検出手段により前記硬貨識別手段に接続される前記貨幣額送信線又は前記紙幣識別手段に接続される前記貨幣額送信線のいずれか一方について配線異常が検出されたときに、該配線異常が検出された貨幣額送信線が接続される前記硬貨識別手段又は前記紙幣識別手段による識別対象である金種の貨幣の使用を禁止し、該配線異常が検出されなかった貨幣額送信線が接続される前記紙幣識別手段又は前記硬貨識別手段による識別対象である金種の貨幣のみ使用可能とするための処理を行う異常貨幣使用禁止手段（制御部２２）を備えることを特徴とする遊技用装置である。
【００８３】
また請求項４に係る発明は、請求項１に記載した遊技用装置（玉貸ユニット２０）であって、前記配線異常検出手段（制御部２２）により配線異常が検出されたときに、前記貸与処理を中断するための処理を行う貸与処理中断手段（制御部２２）を備えることを特徴とする遊技用装置である。
【００８４】
また請求項５に係る発明は、請求項１〜４のいずれか１つに記載した遊技用装置（玉貸ユニット２０）であって、前記貨幣額送信手段（貨幣額通信部２６）は、前記配線異常検出手段から送信された判定実施信号に応じて各貨幣額送信線（２７ｃ〜２７ｈ）より順に前記応答信号を送信し、前記配線異常検出手段（制御部２２）は、各貨幣額送信線より順に送信される前記応答信号の正規の受信順序を記憶しており、該各貨幣額送信線より順に送信されてくる前記応答信号の受信に基づいて前記貨幣額送信線の配線異常判定を実施して、該応答信号の受信順序と前記正規の受信順序とが異なるときに前記配線異常と検出することを特徴とする遊技用装置である。
【００８５】
また請求項６に係る発明は、請求項５に記載した遊技用装置（玉貸ユニット２０）であって、前記貨幣額送信手段（貨幣額通信部２６）は、各貨幣額送信線（２７ｃ〜２７ｈ）より順に送信する前記応答信号を所定時間間隔で送信し、前記配線異常検出手段（制御部２２）は、各貨幣額送信線より順に送信されてくる前記応答信号の受信に基づいて前記貨幣額送信線の配線異常判定を実施して、同時期に複数の応答信号を受信したときに前記配線異常と検出することを特徴とする遊技用装置である。
【００８６】
また請求項７に係る発明は、請求項５に記載した遊技用装置（玉貸ユニット２０）であって、前記貨幣額送信手段（貨幣額通信部２６）は、各貨幣額送信線（２７ｃ〜２７ｈ）より順に送信する前記応答信号を所定時間間隔で送信し、前記配線異常検出手段（制御部２２）は、各貨幣額送信線より順に送信されてくる前記応答信号の受信に基づいて前記貨幣額送信線の配線異常判定を実施して、該応答信号の受信間隔が許容時間内であるか否かの確認を行い、該応答信号の受信間隔が許容時間内でないときに前記配線異常と検出することを特徴とする遊技用装置である。
【００８７】
また請求項８に係る発明は、請求項１〜７のいずれか１つに記載した遊技用装置（玉貸ユニット２０）であって、前記配線異常検出手段（制御部２２）は、前記遊技用装置の起動時に前記判定実施信号を送信することを特徴とする遊技用装置である。
【００８８】
さらに請求項９に係る発明は、請求項１〜８のいずれか１つに記載した遊技用装置（玉貸ユニット２０）であって、前記貨幣額送信手段（貨幣額通信部２６）は、前記貨幣識別手段（紙幣識別機２４及び硬貨識別機２５）により貨幣（紙幣２及び硬貨３）が識別される毎に該貨幣が識別された旨の貨幣識別信号を送信し、前記配線異常検出手段（制御部２２）は、該貨幣額送信手段から送信されてくる貨幣識別信号を受信する毎に前記判定実施信号を送信することを特徴とする遊技用装置である。
【００８９】
最後に、本発明の変形例について説明する。
【００９０】
上記の実施形態では、遊技用装置が各パチンコ機１０に対応して設けられた玉貸ユニット２０である例について説明したが、これに限らず、複数台（例えば２台）のパチンコ機１０に対して設けられた遊技用装置であっても良い。
【００９１】
上記の実施形態では、遊技に使用可能な有価価値の大きさが度数である例について説明したが、これに限らず、該有価価値の大きさは、度数に相当する金額，点数，遊技媒体数等でも良い。
【００９２】
上記の実施形態では、複数金種の貨幣が硬貨３（百円硬貨，及び五百円硬貨），及び紙幣２（千円紙幣，二千円紙幣，五千円紙幣，及び一万円紙幣）である例について説明したが、これに限らず、該貨幣は紙幣２又は硬貨３のいずれか片方であっても良い。
【００９３】
上記の実施形態では、所定の遊技用価値の大きさを遊技に使用させるための使用処理が玉貸処理である例について説明したが、これに限らず、該使用処理は、メダル貸出処理や、後述するクレジット式のパチンコ機やスロットマシンにおいて遊技用価値の大きさを使用させる処理等でも良い。
【００９４】
なお貨幣（紙幣２及び硬貨３）を受け付け可能なタイミングとしては、制御部２２に記憶された有価価値の大きさ（残度数）が零となったときのみ受け付け可能としても良く、該有価価値の大きさが零でないときに貨幣（紙幣２及び硬貨３）を受け付け可能としても良い。
【００９５】
上記の実施形態では、配線異常の検出が行われるタイミングが、遊技用装置（玉貸ユニット２０）の起動時（第１実施形態）又は貨幣の識別毎（第２実施形態）である例について説明したが、これに限らず、例えば１時間毎等の所定タイミングで配線異常の検出が行われるようにしても良い。
【００９６】
上記の実施形態では、判定実施信号が取込信号とペイアウト信号の同時送信である例について説明したが、これに限らず、配線異常検出手段（制御部２２）と貨幣額送信手段（貨幣額通信部２６）との間を接続する判定実施信号送信線を別個に設け、該判定実施信号送信線を通じて判定実施信号を送信するようにしても良い。
【００９７】
上記の実施形態では、応答信号の受信順序と正規の受信順序とが異なるとき（図４又は図６を参照），同時期に複数の応答信号を受信したとき（図７を参照），及び応答信号の受信間隔が許容時間内でないとき（図８を参照）に、配線異常検出手段（制御部２２）が配線異常と検出する例について説明したが、これに限らず、貨幣額送信手段（貨幣額通信部２６）から送信されてくる応答信号の受信に基づいて配線異常判定を行って配線異常を検出するものであれば良い。
【００９８】
上記の実施形態では、配線異常検出手段（制御部２２）にて配線異常が検出されたときに、動作ランプ２３でその旨が報知される例について説明したが、これに限らず、スピーカによってその旨が報知されるようにしても良い。また該配線異常が検出されたときに、残度数表示器３１に所定のエラーコードを表示することによりその旨を報知するようにしても良い。さらに該配線異常が検出されたときに、遊技場の店員が装着するイヤフォンやバイブレータ等によりその旨を報知して、該配線異常が検出された現場に遊技場の店員が直ちに駆けつけることができるようにしても良く、また遊技場に設けられるカメラにより該現場を映し出すと共に、ビデオ等の記録装置により該現場の状況を記録して、不正配線が検出された証拠として使用できるようにしても良い。
【００９９】
上記の実施形態では、配線異常が検出されたときに、行われる処理の一つとして配線異常検出手段（制御部２２）の制御により、紙幣識別機２４又は硬貨識別機２５にて紙幣２又は硬貨３を留保したままの状態でシステムダウンし、遊技媒体貸与処理が中断される例について説明したが、これに限らず、該システムダウンするときであっても紙幣識別機２４又は硬貨識別機２５にて留保されている紙幣２又は硬貨３を返却するようにしても良い。
【０１００】
【発明の効果】
本発明に係る遊技用装置によれば、以下のような効果を奏する。
【０１０１】
まず請求項１に係る遊技用装置によれば、配線異常が検出されたときにその旨が報知されるので、貨幣額送信線の組み替え等の不正配線や誤配線を発見して、適切な処置を行うことができる。
【０１０２】
また請求項２に係る遊技用装置によれば、配線異常が検出されなかった貨幣額送信線に対応する金種の貨幣については使用可能であるので、短時間での修復が困難な配線の組み替えがなされたようなときにも、組み替えのなされていない貨幣額送信線に対応する金種の貨幣により遊技媒体の貸与が可能となり、遊技場の売上低下を防止することができるとともに、遊技者の利便性が向上する。
【０１０３】
また請求項３に係る遊技用装置によれば、配線異常が検出されなかった貨幣額送信線が接続される硬貨識別手段又は紙幣識別手段による識別対象である金種の貨幣については使用可能であるので、短時間での修復が困難な配線の組み替えがなされたようなときにも、配線異常のない貨幣識別手段による識別対象である金種の貨幣により遊技媒体の貸与が可能となり、遊技場の売上低下を防止することができるとともに、遊技者の利便性が向上する。
【０１０４】
また請求項４に係る遊技用装置によれば、配線異常が検出されたときには貸与処理を中断するため、不正配線や誤配線があっても遊技場が損害を被ることがない。
【０１０５】
また請求項５に係る遊技用装置によれば、各貨幣額送信線より順に送信されてくる応答信号の受信順序を確認することにより配線異常が検出されるので、貨幣額送信線の組み替え等の不正配線や誤配線を発見して、適切な処置を行うことができる。
【０１０６】
また請求項６に係る遊技用装置によれば、各貨幣額送信線より所定時間間隔で順に送信されてくる応答信号を同時期に複数受信したときに配線異常が検出されるので、一つの貨幣額送信線を二以上に分配するような不正配線や誤配線を発見して、適切な処置を行うことができる。
【０１０７】
また請求項７に係る遊技用装置によれば、各貨幣額送信線より所定時間間隔で順に送信されてくる応答信号の受信間隔が許容時間内でないときに配線異常が検出されるので、何らかの不正配線が行われた可能性がある貨幣額送信線を確認して適切な処置を行うことができる。
【０１０８】
また請求項８に係る遊技用装置によれば、遊技用装置の起動時に配線異常の検出が行われるので、毎日１回は配線異常を確認できる。
【０１０９】
さらに請求項９に係る遊技用装置によれば、貨幣の識別毎に配線異常の検出が行われるので、より密に配線異常を確認できる。
【図面の簡単な説明】
【図１】図１は本発明に係る遊技用装置である玉貸ユニットを含む遊技用システムの一例を表す機能ブロック図である。
【図２】図２（ａ）は玉貸ユニットの一例を表す正面図であり、図２（ｂ）は該玉貸ユニットの側面図である。
【図３】図３（ａ）は第１実施形態（起動時に検出）に係る遊技用装置における貨幣識別機，貨幣額通信部，及び制御部の正規配線を表す図であり、図３（ｂ）はそのときにおける配線異常の検出を表すタイミングチャートである。
【図４】図４（ａ）は第１実施形態（起動時に検出）に係る遊技用装置における貨幣識別機，貨幣額通信部，及び制御部の配線異常を表す図であり、図４（ｂ）はそのときにおける配線異常の検出を表すタイミングチャートである。
【図５】図５（ａ）は第２実施形態（貨幣の識別毎に検出）に係る遊技用装置における貨幣識別機，貨幣額通信部，及び制御部の正規配線を表す図であり、図５（ｂ）はそのときにおける配線異常の検出を表すタイミングチャートである。
【図６】図６（ａ）は第２実施形態（貨幣の識別毎に検出）に係る遊技用装置における貨幣識別機，貨幣額通信部，及び制御部の配線異常を表す図であり、図６（ｂ）はそのときにおける配線異常の検出を表すタイミングチャートである。
【図７】図７（ａ）は遊技用装置における貨幣識別機，貨幣額通信部，及び制御部の配
線異常の別形態を表す図であり、図７（ｂ）はそのときにおける配線異常の検出を表すタイミングチャートである。
【図８】図８はさらに別形態に係る配線異常の検出を表すタイミングチャートである。
【符号の説明】
２…紙幣
３…硬貨
２０…玉貸ユニット
２２…制御部
２３…動作ランプ
２４…紙幣識別機
２５…硬貨識別機
２６…貨幣額通信部
２６ａ…取込信号入力部
２６ｂ…ペイアウト信号入力部
２６ｃ…百円信号出力部
２６ｄ…五百円信号出力部
２６ｅ…千円信号出力部
２６ｆ…二千円信号出力部
２６ｇ…五千円信号出力部
２６ｈ…一万円信号出力部
２６ｉ…貨幣識別信号出力部（第２実施形態）
２７…信号配線
２７ａ…取込信号受信線
２７ｂ…ペイアウト信号受信線
２７ｃ…百円信号送信線
２７ｄ…五百円信号送信線
２７ｅ…千円信号送信線
２７ｆ…二千円信号送信線
２７ｇ…五千円信号送信線
２７ｈ…一万円信号送信線
２７ｉ…貨幣識別信号送信線（第２実施形態）
【図１】
2004344501.tif 000003
【図２】
2004344501.tif 000004
【図３】
2004344501.tif 000005
【図４】
2004344501.tif 000006
【図５】
2004344501.tif 000007
【図６】
2004344501.tif 000008
【図７】
2004344501.tif 000009
【図８】
2004344501.tif 000010